(57)【特許請求の範囲】
【請求項１】
原水を汲み上げ、浮游物その他の大小の固形物を分離した後、前記原水に凝集剤を添加し、これを複数の濾過槽を通過させて浄水して放流する浄水方法であって、
前記複数の濾過槽のそれぞれには多孔質の凹凸板が、各濾過槽に取り付けられる当該凹凸板の傾斜角度が異なるようにして取り付けられており、
前記凝集剤が添加された原水が前記複数の濾過槽の各濾過槽における前記凹凸板上を流下する際、複数の濾過槽のそれぞれに取り付けられている凹凸板の傾斜角度が異なることにより、流速が変化すると共に、漣を生じながる流下する
ことを特徴とした浄水方法。
【請求項２】
前記各濾過槽には、槽内の下部から接触濾材、活性炭層、ゼオライト層、貝化石層が順次積層されていると共に、その上に、前記多孔質の凹凸板が取り付けられているものであって、前記凝集剤が添加された原水は、各濾過槽において、接触濾材、活性炭層、ゼオライト層、貝化石層を通過した後、各濾過槽における前記凹凸板上を流下する
ことを特徴とした請求項１記載の浄水方法。
【請求項３】
請求項２記載の浄水方法において、前記ゼオライト層、貝化石層を飲料水用に取り替えて浄水した後、当該浄水を殺菌し、ついで浄水器を通過させることにより、塩素、トリハロメタン及びカビ臭を除去することにより飲料水を得る
ことを特徴とした浄水方法。
【請求項４】
移動台車を水辺に移動し、当該移動台車上へ原水を汲み上げ、浮游物その他の大小の固形物を分離した後、前記原水に凝集剤を添加し、これを複数の濾過槽を通過させて浄水して放流する浄水方法であって、
前記複数の濾過槽のそれぞれには多孔質の凹凸板が、各濾過槽に取り付けられる当該凹凸板の傾斜角度が異なるようにして取り付けられており、
前記凝集剤が添加された原水が前記複数の濾過槽の各濾過槽における前記凹凸板上を流下する際、複数の濾過槽のそれぞれに取り付けられている凹凸板の傾斜角度が異なることにより、流速が変化すると共に、漣を生じながる流下する
ことを特徴とした浄水方法。
【請求項５】
前記各濾過槽には、槽内の下部から接触濾材、活性炭層、ゼオライト層、貝化石層が順次積層されていると共に、その上に、前記多孔質の凹凸板が取り付けられているものであって、前記凝集剤が添加された原水は、各濾過槽において、接触濾材、活性炭層、ゼオライト層、貝化石層を通過した後、各濾過槽における前記凹凸板上を流下する
ことを特徴とした請求項４記載の浄水方法。
【請求項６】
請求項５記載の浄水方法において、前記ゼオライト層、貝化石層を飲料水用に取り替えて浄水した後、当該浄水を殺菌し、ついで浄水器を通過させることにより、塩素、トリハロメタン及びカビ臭を除去することにより飲料水を得る
ことを特徴とした浄水方法。
【請求項７】
前記凹凸板の凹凸面は、セメント、貝化石粒、水、混和液、凝集剤を混合して発泡、固形化させた固形凝集濾過剤により形成されていることを特徴とする請求項１乃至６のいずれか一項記載の浄水方法。
【請求項８】
水辺まで移動できる移動台車の一側上部から、
当該移動台車上へ原水を汲み上げて供給する原水供給手段、
当該原水供給手段によって供給される原水に対して凝集剤を添加する凝集剤供給手段、
当該凝集剤供給手段によって凝集剤が添加された原水から浮游物その他の大小の固形物を分離する分離手段、
前記分離手段による処理が行われた処理水が通過する複数の濾過槽を直列させた濾過手段であって、
前記複数の濾過槽のそれぞれに多孔質の凹凸板が、各濾過槽に取り付けられる当該凹凸板の傾斜角度が異なるようにして取り付けられており、
前記分離手段による処理が行われた処理水が前記複数の濾過槽の各濾過槽における前記凹凸板上を流下する際、複数の濾過槽のそれぞれに取り付けられている凹凸板の傾斜角度が異なることにより、流速が変化すると共に、漣を生じながる流下する濾過手段、
殺菌層及び、
複数の浄水器が
順次設置されていることを特徴とする浄水装置。
【請求項９】
前記各濾過槽には、槽内の下部から接触濾材、活性炭層、ゼオライト層、貝化石層が順次積層されていると共に、その上に、前記多孔質の凹凸板が取り付けられているものであって、分離手段による処理が行われた処理水は、各濾過槽において、接触濾材、活性炭層、ゼオライト層、貝化石層を通過した後、各濾過槽における前記凹凸板上を流下する
ことを特徴とした請求項８記載の浄水装置。
【請求項１０】
前記凹凸板の凹凸面は、セメント、貝化石粒、水、混和液、凝集剤を混合して発泡、固形化させた固形凝集濾過剤により形成されていることを特徴とする請求項８又は９記載の浄水装置。
【請求項１１】
前記浄水器には、活性炭、リン酸カルシウム系セラミックス及び中空糸濾過膜が充填されたことを特徴とする請求項８乃至１０のいずれか一項記載の浄水装置。
【発明の詳細な説明】
【０００１】
【発明の属する技術分野】
この発明は、流速の変化、漣の発生、貝化石、凝集剤の使用等、複数の原理の浄化作用を組み合わせた浄水方法及び装置に関する。
【０００２】
また、浄水装置を移動台車上に設置することによって常時は河川、湖沼の浄水に使用し、災害時の要請に応じ河川水等を飲料水に浄水できることを目的とした式浄水方法及び装置に関する。
【０００３】
【従来の技術】
従来車輌に、凝集剤添加装置、貯留槽、複数の濾過器を備えた移動式浄水設備の提案がある（特許第２７５５１８２号）。
【０００４】
また貝化石粉末を使用して、湖、沼等を浄化する方法及び装置についても提案がある（特開平１１−５７７３８号）。
【０００５】
【特許文献１】
特許第２７７５５１８２号公報
【０００６】
【特許文献２】
特開平１１−５７７３８号公報
【０００７】
【発明により解決しようとする課題】
前記移動式浄水設備は、飲料水供給設備をもたない地域又は災害地に移動して現地の原水を浄水し、飲料水として供給する設備であって、移動式飲料供給装置というようなものであり、災害その他のない場合には、不必要になる問題点があった。
【０００８】
また前記湖沼等の浄化は、湖沼の汚泥などを処理するものであって、飲料水などの浄化には使用できない問題点があった。
【０００９】
【課題を解決する為の手段】
前記のように、河川、湖沼などの原水を処理して飲料水にすることは、一般に行われていると共に、河川湖沼などの原水浄化（飲料水ではない）も既に行われている。
【００１０】
ここで、両者を比較すると、前記における原水を処理し飲料水を得る場合の濾過その他は、河川湖沼などの原水浄化（飲料水ではない）の場合と比して、濾材はもとより、殺菌なども異なるので、共用できないのが普通である。
【００１１】
しかし、両浄化処理を比較するに、河川、湖沼などの原水を或程度浄化処理するまでの行為は、ほぼ同一であり（濾材が異なる程度）、飲料水には、その後の殺菌、脱臭、トリハロメタンその他有害物質を除去すればよいことが判明した。
【００１２】
そこで、原則的には、河川、湖沼等の浄水装置に殺菌槽と飲料用浄水器を付設すればよいことになる。幸いにも、殺菌槽と浄水器は小型で大容量の処理が可能であるから、河川、湖沼の浄水処理装置を載置すると共に殺菌槽と、浄水器を設置すればこの発明の目的を達成できることに想到した。さらに、複数の原理の浄化、浄水作用を組み合わせれば、河川、湖沼の原水浄化、原水を処理して飲料水を得る際の前処理として有効である。発明者は、以上の観点より、この発明を完成したのである。
【００１３】
即ち、第一の方法は、原水を汲み上げ、浮游物その他の大小の固形物を分離した後、前記原水に凝集剤を添加し、これを複数の濾過槽を通過させて浄水して放流する浄水方法であって、前記複数の濾過槽のそれぞれには多孔質の凹凸板が、各濾過槽に取り付けられる当該凹凸板の傾斜角度が異なるようにして取り付けられており、前記凝集剤が添加された原水が前記複数の濾過槽の各濾過槽における前記凹凸板上を流下する際、複数の濾過槽のそれぞれに取り付けられている凹凸板の傾斜角度が異なることにより、流速が変化すると共に、漣を生じながる流下することを特徴とした浄水方法である。
ここで、前記各濾過槽には、槽内の下部から接触濾材、活性炭層、ゼオライト層、貝化石層が順次積層されていると共に、その上に、前記多孔質の凹凸板が取り付けられているものであって、前記凝集剤が添加された原水は、各濾過槽において、接触濾材、活性炭層、ゼオライト層、貝化石層を通過した後、各濾過槽における前記凹凸板上を流下することを特徴とするものである。
また、ここで、前記ゼオライト層、貝化石層を飲料水用に取り替えて浄水した後、当該浄水を殺菌し、ついで浄水器を通過させることにより、塩素、トリハロメタン及びカビ臭を除去することにより飲料水を得ることを特徴とした浄水方法である。
また、第二の方法は、移動台車を水辺に移動し、当該移動台車上へ原水を汲み上げ、浮游物その他の大小の固形物を分離した後、前記原水に凝集剤を添加し、これを複数の濾過槽を通過させて浄水して放流する浄水方法であって、前記複数の濾過槽のそれぞれには多孔質の凹凸板が、各濾過槽に取り付けられる当該凹凸板の傾斜角度が異なるようにして取り付けられており、前記凝集剤が添加された原水が前記複数の濾過槽の各濾過槽における前記凹凸板上を流下する際、複数の濾過槽のそれぞれに取り付けられている凹凸板の傾斜角度が異なることにより、流速が変化すると共に、漣を生じながる流下することを特徴とした浄水方法である。
ここで、前記各濾過槽には、槽内の下部から接触濾材、活性炭層、ゼオライト層、貝化石層が順次積層されていると共に、その上に、前記多孔質の凹凸板が取り付けられているものであって、前記凝集剤が添加された原水は、各濾過槽において、接触濾材、活性炭層、ゼオライト層、貝化石層を通過した後、各濾過槽における前記凹凸板上を流下することを特徴とするものである。
また、ここで、前記ゼオライト層、貝化石層を飲料水用に取り替えて浄水した後、当該浄水を殺菌し、ついで浄水器を通過させることにより、塩素、トリハロメタン及びカビ臭を除去することにより飲料水を得ることを特徴とした浄水方法である。
ここで、これらの方法において、前記凹凸板の凹凸面は、セメント、貝化石粒、水、混和液、凝集剤を混合して発泡、固形化させた固形凝集濾過剤により形成されていることを特徴とする浄水方法である。
更に、第三の方法は、湖沼の水辺の陸地に攪拌混合槽と混合槽を設置すると共に、当該混合槽の出口から流出した処理水を受けるように、下面にフロートを取り付けた凹凸板を湖沼の水面に浮遊設置し、攪拌混合槽において、前記請求項１乃至７のいずれかに記載の方法によって準備された浄水及び／又は水道水と凝集剤とを攪拌混合して調合水を調製し、水中ポンプによって前記湖沼から原水を汲み上げて前記混合槽の入り口側から供給すると共に、前記調合水を前記混合槽に供給し、前記混合槽において前記原水と調合水とを攪拌、混合し、混合槽において攪拌、混合が行なわれた後の処理水を前記凹凸板上を流下させて湖沼に戻す浄水方法であって、前記処理水が前記凹凸板上を流下する際に、凹凸によって生じる漣及び、前記フロートが受ける波、前記凹凸板上を流下する処理水が受ける風の影響を前記処理水が受けることを特徴とする浄水方法である。
この第三の方法は、原水供給手段と凝集剤供給手段が撹拌槽の上部入口側に接続されると共に、当該撹拌槽の下部出口側に貝化石化合物及び前記固形凝集濾過剤、すなわち、普通セメント、貝化石粒、水、混和液、凝集剤を混合して発泡、固形化させた固形凝集濾過剤により多孔質の凹凸が形成された凹凸板を接続してなる浄水装置であって、少なくとも当該凹凸板を原水を蓄えた湖沼の水面に浮遊設置した浄水装置を用いて実施できる。かかる、装置は、水辺に常設して前記第三の方法の発明、すなわち河川、湖沼等の原水浄化を実施できる装置である。
【００１４】
この装置の主要部分を水辺に設置し、前記第二の方法の発明を移動台車によって当該水辺付近に移動させて実施し、これと接続すれば、前記第一の方法の発明又は前記第二の方法の発明と、前記第三の発明とを連続して実施することが可能となる。
【００１５】
この第三の方法と、前記第一又は第二の方法とは、連続して実施することもできる。
【００１６】
次に、この発明の浄水装置は、水辺まで移動できる移動台車の一側上部から、当該移動台車上へ原水を汲み上げて供給する原水供給手段、当該原水供給手段によって供給される原水に対して凝集剤を添加する凝集剤供給手段、当該凝集剤供給手段によって凝集剤が添加された原水から浮游物その他の大小の固形物を分離する分離手段、前記分離手段による処理が行われた処理水が通過する複数の濾過槽を直列させた濾過手段であって、前記複数の濾過槽のそれぞれに多孔質の凹凸板が、各濾過槽に取り付けられる当該凹凸板の傾斜角度が異なるようにして取り付けられており、前記分離手段による処理が行われた処理水が前記複数の濾過槽の各濾過槽における前記凹凸板上を流下する際、複数の濾過槽のそれぞれに取り付けられている凹凸板の傾斜角度が異なることにより、流速が変化すると共に、漣を生じながる流下する濾過手段、殺菌層及び、複数の浄水器が順次設置されていることを特徴とするものである。
ここで、前記各濾過槽には、槽内の下部から接触濾材、活性炭層、ゼオライト層、貝化石層が順次積層されていると共に、その上に、前記多孔質の凹凸板が取り付けられているものであって、分離手段による処理が行われた処理水は、各濾過槽において、接触濾材、活性炭層、ゼオライト層、貝化石層を通過した後、各濾過槽における前記凹凸板上を流下することを特徴とする者である。
また、前記凹凸板の凹凸面は、セメント、貝化石粒、水、混和液、凝集剤を混合して発泡、固形化させた固形凝集濾過剤により形成されていることを特徴とするものである。
ここで、凝集剤としては、硫酸バンド（高分子）を用いることができ、この凝集剤とセメント、水を混ぜ合わせると発泡が起こるので、固形化した固形凝集濾過剤は、全体に無数の気孔が生じ、多孔質となっており、この気孔によっても浄化が行われる。
【００１７】
前記浄水器には、活性炭、リン酸カルシウム系セラミックス及び中空糸濾過膜が充填されたことを特徴とする。
かかる第一の装置の発明は、前記第二の方法の発明、すなわち、河川湖沼等の原水浄化、さらには飲料水の生成を実施できる装置である。これらの装置一式を移動台車上に搭載することによって、移動式の浄水方法を実現することができる。例えば、移動台車の駆動をキャタピラーにすれば、軟質土壌中でも進行できるので、湖沼などの岸辺へ近接することができる。従って原水の供給に長大なホースを準備する必要なく通常は常備のホース（例えば１０〜３０ｍ）で十分間に合うことになる。
【００１８】
前記発明における貝化石は、汚泥水に凝集、吸着、酸化による浄化作用を与えることができる。不純物のうち、軽い物は浮游した状態のものを取り除き、重い物は沈殿させて浄化する。前記における活性炭は、吸着、脱臭などにより浄水し、リン酸カルシウム系セラミックスは鉛を除去する特性があり、中空糸濾過膜により汚濁物、有害微生物が除去される。
【００１９】
また塩素殺菌によって有害菌は処理されるので、飲料水に好適な水となる。
【００２０】
前記において、リン酸カルシウム系セラミックスは、鉛以外のミネラル成分は除去しないので、浄水器通過後の浄水中には、ミネラルが豊富に含まれている。
【００２１】
【発明の実施の形態】
前記装置の発明は、移動台車、例えばキャタピラーにより移動できる台車上へ、不純物の分離装置、凝集剤槽、複数の濾過槽、殺菌槽、浄水器を搭載し、通常は河川、湖沼の浄水に携わる。災害発生し、要請があれば、現地に行って、現地で得られる原水を処理し、連続的に飲料水を供給する。原水は、河川、湖沼などより給水するのであるが、原水採取場所が遠い時には、原水のある場所で浄水し、これを給水車で運ぶか、ポンプとホースの連結により送水する。
【００２２】
また、他の装置の発明は、常時水辺に設置しておき、常時河川湖沼等の水質の浄化を行うことのできる浄水装置である。普段から浄化作用を付与していれば、河川湖沼等の水質改善となり、水質改善された河川湖沼等から、前記第一の発明の浄水装置によって更なる浄水、飲料水の生成を行えば効率的である。
【００２３】
これらの浄水装置を稼働させると、この発明の浄水方法を実施することとなるが、この発明の浄水方法では、複数の浄化、浄水原理を組み合わせている。以下、これらの浄水原理について説明する。
【００２４】
［浄水原理］
（１）流速の変化による浄化処理水が流下する各凹凸板の取り付け角度（傾斜角度）を異なる角度とすることによって、処理水が凹凸板上を流下する速度が異なるものとなり、異なる浄化作用を付与することができる。
【００２５】
（２）漣の発生による浄化凹凸面を有する凹凸板上を備えた濾過槽を通過するときに漣が生じることにより、処理水が霧雨状又は糸状になって、空気中の酸素、オゾンとの接触面積が増大するので高い浄化作用を付与することができる。また、漣は、処理水が板体（凹凸板）上を流下する際に風を受け、さらに、板体（凹凸板）を水面に浮かべて板体（凹凸板）が受ける波の影響を受けることによっても生じ、浄化が促進される。
【００２６】
（３）貝化石本体による浄化作用を有する貝化石本体により浄化することができる。
【００２７】
（４）多孔質材料による浄化表面に無数の気孔を有する軽石状の多孔質材料によって、処理水を濾過し、浄化することができる。
【００２８】
なお、多孔質材料は、貝化石粒固形物に凝集剤を混合して膨張飽和する過程において無数の気孔が発生し、軽石状となる。
【００２９】
（５）凝集剤による浄化凝集剤により化学的作用による浄化を行うことができる。
【００３０】
（６）太陽による殺菌作用処理水が流下する際に太陽光を受けることによって、処理水が殺菌される。
【００３１】
（７）浮遊物、沈殿物の除去処理水中の不純物を浮遊物、沈殿物として処理することにより浄化することができる。
【００３２】
【実施例１】
この発明の実施例を図１について説明する。原水を汲み上げて混合槽に入れて、大きな浮游物を除去し、ついで分離槽に導き、凝集剤を混入して、微粒子を沈殿させた後、その上澄水を貝化石層とゼオライト層で濾過する。この濾過槽を四槽に亘って順次繰り返し通過させた後、浄水として放流する（又は湖沼にかえす）。
【００３３】
次に、飲料水を得るには、前記濾過槽の貝化石を入れ替えて（例えば、粉末貝化石を使用）濾過した後、殺菌槽に入れて殺菌し、ついで複数の浄水器を通過させて、塩素、トリハロメタンその他の微生物などを完全に除去し、飲料水として配水する。この浄水器によれば、鉛を効率よく除去することができる。
【００３４】
【実施例２】
この実施例は、実施例１の濾過槽を四槽に亘って順次繰り返し通過させる際に、処理水の流速を変化させると共に、濾過槽内に設置された多孔質の凹凸板上を漣を生じさせながら流下させたものである。
【００３５】
流速の変化は、四槽ある濾過槽のそれぞれに一枚ずつ設置され、処理水が順次流下する凹凸板が異なる傾斜角度で取り付けられていることによって実現されている。処理水の流速を異なるものとすることによって、浄化作用を促進することができる。
【００３６】
また、処理水が凹凸板上を流下することにより、漣が生じる。漣が生じることにより、処理水が霧雨状、糸状となり、空気中の酸素、オゾンとの接触面積が増大し、浄化作用を促進できる。
【００３７】
さらに、凹凸板が軽石状に無数の気孔を有する多孔質材料で形成されていることにより、処理水が気孔によって濾過、浄化作用を受ける。
【００３８】
【実施例３】
この発明の他の浄化方法について説明する。
【００３９】
この浄化方法は、図５図示のように下面にフロート５１を取り付けて湖沼の水面５４に浮遊させた凹凸板５０上に、水中ポンプ５２で汲み上げ、凝集剤を添加した原水を流下させ、その原水（処理水）を湖沼に戻して、湖沼の水を浄化するものである。
【００４０】
原水（処理水）は、凹凸板５０の凹凸に衝突しながら流下することにより漣を生じる。また、水面５４に浮遊する凹凸板５０が水面５４の波の影響で揺れ、流下する原水（処理水）自体も風を受けることにより、凹凸板上を流下する原水（処理水）に漣が生じることとなる。原水（処理水）は、漣により空気中の酸素、オゾンとの接触面積が増して浄化が促進される。
【００４１】
さらに、凹凸板５０は、実施例２の凹凸板と同様に軽石状に無数の気孔を有する多孔質材料で形成されていることにより、処理水が気孔によって濾過、浄化作用を受ける。
【００４２】
このように、浄化作用を受ける原水（処理水）を循環させることにより、湖沼の水全体を徐々に浄化することができる。
【００４３】
【実施例４】
この発明の装置の実施例を図２、３に基づいて説明する。
【００４４】
キャタピラー１の駆動により移動できるようにした台車２の一側（図２中左側）上部へ、分離槽３を設置し、該分離槽３の右側へ、濾過槽４ａ、４ｂ、４ｃ、４ｄを順次並列設置し、濾過槽４ｄに隣接して、殺菌槽５及び浄水器６ａ、６ｂを設置する。前記台車２の四隅には、台車２を安定支持する為に、油圧支杆７が昇降可能に設置されており、オイルポンプ８により昇降制御されている。高さ調整後は、バルブを締めて一定高さに保持する。
【００４５】
濾過槽４ａ〜４ｄは、槽内の下部から接触濾材、活性炭層、ゼオライト層、貝化石層が順次積層されている。
【００４６】
また、前記濾過槽４ａの上部には、高分子凝集剤を収容した凝集剤タンク９が設置されており、前記分離槽３上には、浮遊物を除去する為のコンベア１０と混合槽１１が設置され、混合槽１１の上部に原水パイプ１２が開口している。図中３４ａ、３４ｂ、３４ｃ、３４ｄ、３４ｅは排水パイプ、３４ｆはドレンパイプ、４２は塩素注入装置、４３は発電機である。
【００４７】
前記実施例において、台車２を湖沼の岸辺の適所に設置し、油圧支杆７により台車２を安定させた後、原水をホース１２を介し矢示１３のように汲み上げ、排出口１２ａから、階段状の混合槽１１の上部に排出し（図４）、凝集剤タンク９からのパイプ４５を介して送られた凝集剤と混合し、矢示４１のように、階段部を経て分離槽３に入る。
【００４８】
分離槽３には、適量の凝集剤が、凝集剤タンク９から送られるので、分離槽３内の微粒子が凝固し、沈殿すると共に、浮遊物は矢示１４のように浮き上がってコンベア１０により外部へ取り出す。一方、沈殿後の上澄水は、矢示１５、１６、１７のように濾過槽４ａの下方に供給され、接触処理、吸着処理（活性炭）を受けると共に、ゼオライト及び貝化石によって有害物を除去され、矢示１８、１９、２０、２１の用に濾過されて、濾過槽４ｂに入り、矢示２２、２３、２４、２５のように濾過されて、濾過槽４ｃに入り、矢示２６，２７、２８、２９のように濾過されて、濾過槽４ｄにより、矢示３０、３１、３２、３３のように濾過されて殺菌槽５に入り、塩素殺菌されて、排水パイプ３４から外界に放流される（又は湖沼にもどされる）。前記における浄化効果は表１の通りである。
【００４９】
【表１】
0003944881.tif 000002
前記において、飲料水を求める際は、前記濾過槽４ａ、４ｂ、４ｃ、４ｄ内のゼオライトと貝化石とを飲料水用に取り換えてから、前記と同様の処理をした後、ポンプ３５を用いて、浄水を矢示３６、３７、３８、３９のように、浄水器６ａ、６ｂに給送し、浄水して、矢示４０のように、飲料水として取り出す。例えば、家庭用水道基管に連結し、又は送水車に供給する。
【００５０】
前記のように、常時は河川、湖沼等の浄水に使用し、災害その他飲料水が必要な場合には、現地に行って、その付近の原水を浄水して飲料水とすることができる。
【００５１】
【実施例５】
この発明の装置の他の実施例について図、７に基づいて説明する。
【００５２】
なお、実施例４の装置と同一の構成要素には、同一の符号を付し、その説明を省略する。
【００５３】
この実施例の浄化装置が実施例４の浄化装置と異なる点は、図６図示のように濾過槽４ａ〜４ｄのそれぞれの内部に凹凸板５５ａ、５５ｂ、５５ｃ、５５ｄを備えた点である。すなわち、濾過槽４ａ内に凹凸板５５ａ、濾過槽５５ｂ内に凹凸板５５ｂ、濾過槽４ｃ内に凹凸板５５ｃ、濾過槽４ｄ内に凹凸板５５ｄがそれぞれ取り付けられている。
【００５４】
凹凸板５５ａ〜５５ｄは、それぞれ異なる角度で各濾過槽に取り付けられている。
【００５５】
凹凸板５５ａ〜５５ｄの上面は図７図示のように凹凸面を形成しているが、この凹凸面は、截頭角錐状突起５６と、椀状突起５７を交互に並べて敷き詰めて形成している。
【００５６】
截頭角錐状突起５６は、普通セメント、貝化石粒、水、混和液を混合してモルタル状とし、これを截頭角錐状に成形、固形化している。普通セメント等の配合の割合は以下の通りである。
【００５７】
［配合比（重量比）］
（１）普通セメント １（２）貝化石粒 １３〜１５なお、貝化石粒は、５ｍｍ程度迄の大きさのものの割合を「２」とし、５〜１５ｍｍ程度の大きさのものの割合を「１」として混合する。
【００５８】
（３）水 ２．２〜２．５（４）混和液 ０．０１〜０．０１７６なお、混和液は、例えば、「セベックス１１２」（英国規格ＢＳ４８８７）を使用し、その分量は水の１／１２５〜１／２５０の分量とする。この「セベックス１１２」は、空気連行によりモルタルの強度密度を適当に低下させ、同時に作業性を高めることができる。従って「セベックス１１２」を添加すると、「セベックス１１２」のこのような性質によりセメントの量を少なくすることができる。
【００５９】
次に、椀状突起５７は、截頭角錐状突起５６と同様の組成物（普通セメント、貝化石粒、水、混和液）を前記と同様に配合比で混合したものに水と同量の凝集剤（硫酸バンド（高分子））を混ぜ合わせ、これを椀状に成形して構成したものであるが、全体に無数の気孔が形成されており軽石状となっている。なお、前記凝集剤は、水とセメントと混合されると膨張する。
【００６０】
また、截頭角錐状突起５６の組成物（普通セメント、貝化石粒、水、混和液）を前記の配合比で混合し、固形化したものの比重は１．７程度であるが、これに対して椀状突起５７の組成物、すなわち、普通セメント、貝化石粒、水、混和液に凝集剤（硫酸バンド（高分子））を混合して固形化させたものの比重は１．１程度となる。このため、截頭角錐状突起５６の組成物（普通セメント、貝化石粒、水、混和液）に凝集剤（硫酸バンド（高分子））を添加して混合すると、発泡が起こり、無数の気孔が生じる。
【００６１】
椀状突起５７の各組成物の混合の工程は以下の通りである。
【００６２】
［混合工程］
（１）水と混和液（「セベックス１１２」（英国規格ＢＳ４８８７））をよく混ぜ合せる。
【００６３】
（２）（１）で混ぜ合わせた水と混和液の混合物に（１）における水と同量の凝集剤（硫酸バンド（高分子））を混入し、混ぜ合わせる。
【００６４】
（３）（２）で得た混合物に普通セメント及び貝化石粒を混入し、型に流し込んで固形化させる。
【００６５】
以上の工程を経ることによって椀状突起５７を形成することができる。
【００６６】
処理水（原水）は、濾過槽４ａ〜４ｄを通過し、前記のように形成される截頭角錐状突起５６及び椀状突起５７を敷き詰めて凹凸面（図７）が形成された凹凸板５０上を処理水（原水）が流下すると、（１）凹凸板５５ａ〜５５ｄの取り付け角度（傾斜角度）が異なることに起因する流速の変化による浄化作用、（２）漣が発生し、処理水（原水）が霧雨状又は糸状になり、空気中の酸素、オゾンとの接触面積が増大することによる浄化作用、（３）濾過槽４ａ〜４ｄ内に積層され、また、截頭角錐状突起５６及び椀状突起５７に含まれた貝化石本体による浄化作用、（４）表面に無数の気孔を有する軽石状の椀状突起５７を構成する多孔質材料による浄化作用、（５）凝集剤による浄化作用、（６）截頭角錐状突起５６及び椀状突起５７の組成成分が水中に溶け出し、湖沼中に浄化成分が残留することによる浄化作用を受けることとなり、効率よく浄化が行われる。
【００６７】
【実施例６】
次に、この発明の装置の更に他の実施例につき、図５に基づいて説明する。
【００６８】
この実施例の装置は、以下のように構成されている。図５図示のように撹拌混合槽６３、混合槽６４を水辺に設置し、混合槽６４の出口６４ａから流出する処理水を受けることができるように下面にフロート５１を取り付けた凹凸板５０を水面５４に浮遊設置する。ここで、陸地に設置するのは撹拌混合槽６３、混合槽６４のみであるので、地上の設置面積は小さくて済む。
【００６９】
湖沼には、フロート５３と結合した水中ポンプ５２を設置し、水中ポンプ５２によって汲み上げた原水を混合槽６４へ供給できるように、水中ポンプ５２と混合層６４の入口６４ｂをパイプで接続して矢示５８のように原水を圧送する。
【００７０】
撹拌混合槽６３では、凝集剤と水道水の調合を行う。すなわち、水道水と凝集剤とを撹拌混合槽６３に投入し、プロペラ状の撹拌棒６３ａで撹拌する。
【００７１】
ここで、凝集剤に混合される水は、凝集剤との反応を生じないように水道水であることが好ましいが、ある程度浄化された水であればよいので、実施例４又は実施例５の装置で浄化された浄化水を、水道水と併用して、又は水道水に代えて、凝集剤と調合してもよい。
【００７２】
混合槽６４の入口６４ｂ付近には定量器６０が備え付けられていて、撹拌混合槽６３で調合された凝集剤と水道水との調合水が矢示５９のように定量器６０を通って混合槽６４に供給されるようになっている。混合槽６４の内部は、実施例４又は実施例５の装置の混合槽１１と同様に階段状に構成されており（図４）、水中ポンプ５２によって圧送された原水と撹拌混合槽６３で調合された前記調合水とは、階段状に構成された混合槽６４の内部を流下しながら第一次の撹拌、混合が行われる。
【００７３】
凹凸板５０の上面の凹凸は、実施例５の凹凸板５５ａ〜５５ｄと同様に截頭角錐状突起６１と、椀状突起６２が交互に並べて敷き詰めて形成されている。この截頭角錐状突起６１と、椀状突起６２の組成は実施例５の截頭角錐状突起５６、椀状突起５７と同一である。
【００７４】
混合槽６４中を流下して、調合水と第一次の撹拌、混合が行われた原水（処理水）は、凹凸板５０上を流下して、再び湖沼に戻される。原水（処理水）は、凹凸板５０上を流下する際に、凹凸によって漣を生じ、さらに、風、フロート５３が受ける波の影響により、撹拌作用を受けて浄化される。このとき、原水（処理水）は、截頭角錐状突起６１と、椀状突起６２に含まれる貝化石の成分や、空気中の酸素との混合も促進され浄化される。
【００７５】
原水は、以上説明したようにこの実施例の装置を通過することによって浄化され、繰り返し原水を装置に通過させ、循環させることによって徐々に湖沼の水全体を浄化することができる。この際、原水はある程度の距離を圧送されるために水流が発生して水温が安定し、水の流れによる酸素の混入を受けて浄化されると共に、水質悪化の原因の一つでもある滞留も解消され、浄化が一層促進される。
【００７６】
また、截頭角錐状突起６１、椀状突起６２に含まれた貝化石等の浄化成分が溶け出し、湖沼の底に沈殿、残留することによって湖沼内でも浄化作用が働くこととなる。
【００７７】
なお、原水中の汚染物質は、湖沼の底に沈殿することがある。この沈殿した汚染物質（泥土状、コンニャク状）は、大量に堆積した時点で圧送ポンプ等を用いて吸い上げ、汚泥処理装置（圧縮プレス機）へ送る。ついで、泥質分を取り出し、残水は浄化装置に循環して再浄化して放流するが、汚泥処理装置によって圧縮された泥質分は、コンニャク状から、せんべい状となって回収されるので、これらは、再利用してレンガや道路資材として再利用する。
【００７８】
原水は、原水中に溶解していた汚染物質が圧縮沈殿する等して取り除かれるので湖沼の水質は改善される。
【００７９】
以上、本発明の好ましい実施例を添付図面を参照して説明したが、本発明はかかる実施例に限定されるものではなく、特許請求の範囲の記載から把握される技術的範囲において種々な形態に変更可能である。
【００８０】
例えば、截頭角錐状突起、椀状突起は、これらの形状に限定されるものではなく、原水、処理水が流下する際に漣を生じさせることができる形状であればよい。
【００８１】
【発明の効果】
この発明は、河川、湖沼などの原水を浄化して魚類等の環境を改善し水質を蘇らせる為に使用されている。この場合、河川、湖沼などの水辺まで近接させて、装置を安定設置することができる効果がある。
【００８２】
また、災害その他によって、飲料水が必要になった場合には、現地に行って原水を浄化し、浄化度を上げて飲用に供し得るようにすることができる効果がある。
【００８３】
さらに、常時設置する装置によって、河川、湖沼の原水を常時循環させながら浄化作用を付与するので、河川、湖沼全体の浄化、水質改善をすることができる。
【図面の簡単な説明】
【図１】この発明の実施例のブロック図。
【図２】同じく実施装置の立面図的概念図。
【図３】同じく平面図的概念図。
【図４】同じく階段状の混合層の概念図。
【図５】この発明の他の実施例の装置の設置状態を示す概念図。
【図６】この発明の更に他の実施装置の立面図的概念図。
【図７】（ａ）図６図示の装置に取り付けられる凹凸板の拡大側面図。
（ｂ）同じく、凹凸板の一部を省略した拡大斜視図。
【符号の説明】
１ キャタピラー
２ 台車
３ 分離槽
４ａ、４ｂ、４ｃ、４ｄ 濾過槽
５ 殺菌槽
６ａ、６ｂ 浄水器
７ 油圧支杆
８ オイルポンプ
９ 凝集剤タンク
１０ コンベア
１１ 混合槽
１２ 原水パイプ
５０、５５ａ〜５５ｄ 凹凸板
５１、５３ フロート
５２ 水中ポンプ
５６、６１ 截頭角錐状突起
５７、６２ 椀状突起
６３ 撹拌混合槽
６４ 混合槽
【図１】
0003944881.tif 000003
【図２】
0003944881.tif 000004
【図３】
0003944881.tif 000005
【図４】
0003944881.tif 000006
【図５】
0003944881.tif 000007
【図６】
0003944881.tif 000008
【図７】
0003944881.tif 000009